(57)【要約】【課題】  ヘッド開口部を確実に開閉することができ、かつヘッド開口部の閉塞状態での防塵性が向上するディスクカートリッジを得る。【解決手段】  ディスクカートリッジでは、ケース１４のディスク収容部５０内に回転可能に収容された円板状のディスクメディアの記録面にドライブ装置のヘッドがアクセスするためのヘッド開口部１６が設けられている。ヘッド開口部１６は、ディスクメディアの軸心と同軸的に回動可能な第１シャッタ６４と、第１シャッタ６４の回動軸心とは異なる回動軸心廻りに回動可能な第２シャッタ７４とが、互いの当接端部９０、９２を突き当てて閉塞される。当接端部９０、９２は、第２シャッタ７４の回動軸心を中心とする円弧形状に形成された円弧部９０Ｄ、９２Ｄを有し、第１シャッタ６４の位置に依らず第２シャッタ７４の開動が可能である。また、第１シャッタ６４の当接端部９０に設けられた舌部９０Ａは、第２シャッタ７４の当接端部９２とオーバラップする。【選択図】      図３
2005259316.tif 000002
【特許請求の範囲】
【請求項１】
円板状に形成されたディスクメディアを回転可能に収容する収容部と、前記収容部における前記ディスクメディアの記録面側に設けられドライブ装置のヘッドが前記記録面にアクセスするためのヘッド開口部とを有するケースと、
前記ケースに前記ディスクメディアと同軸的に回動可能に設けられた第１シャッタと、前記第１シャッタとは異なる軸廻りに回動可能な第２シャッタとを有し、前記第１シャッタと第２シャッタとが互いに端部を突き当てて前記ヘッド開口部を閉塞し、前記第１シャッタと第２シャッタとが前記ヘッド開口部に対し互いに反対方向に回動して該ヘッド開口部を開放するシャッタ機構と、を備え、
前記第１シャッタと第２シャッタとの互いの突き当て端は、前記ヘッド開口部の閉塞状態で互いに突き当たる当接端面と、該ヘッド開口部の閉塞状態で厚み方向にオーバラップするオーバラップ部とをそれぞれ有し、
かつ、前記第１シャッタ及び第２シャッタの各当接端面は、前記第１シャッタが前記ヘッド開口部を閉塞する位置に位置する状態で前記第２シャッタの回動を許容するように、長手方向の少なくとも一部が前記ヘッド開口部の閉塞状態で前記第２シャッタの回動軸心を中心とする円弧に沿う円弧形状とされている、
ことを特徴とするディスクカートリッジ。
【請求項２】
前記第１シャッタと第２シャッタとは、前記ヘッド開口部の閉塞状態で互いの前記オーバラップ部を接触状態で重ね合わせる、ことを特徴とする請求項１記載のディスクカートリッジ。
【請求項３】
それぞれ円弧状に形成されて一方が前記第１シャッタに設けられると共に他方が前記第２シャッタに設けられ、前記ヘッド開口部の閉塞状態で互いに周方向端面を当接させて環状を成し、前記ディスクメディアの軸心部に設けられたセンタ孔周りの面に当接する一対の凸部をさらに備え、
前記第１シャッタのオーバラップ部は、前記第２シャッタのオーバラップ部に対し前記ディスクメディア側で、該第２シャッタのオーバラップ部と互いにオーバラップするようになっており、
前記第１シャッタの凸部の周方向一端部は該第１シャッタのオーバラップ部の縁部に沿う第１合せ面とされ、
前記第２シャッタの凸部の周方向一端部は、該第２シャッタのオーバラップ部と他の部分との境界部まで設けられ、前記ヘッド開口部の閉塞状態で前記第１合せ面に当接する第２合せ面とされている、
ことを特徴とする請求項１または請求項２記載のディスクカートリッジ。
【発明の詳細な説明】
【技術分野】
【０００１】
本発明は、情報や映像の記録再生媒体として用いられる円板状のディスクメディアをケース内に回転可能に収容したディスクカートリッジに関する。
【背景技術】
【０００２】
例えば、コンピュータ用の記録再生媒体や映像の記録再生媒体として、光ディスクや光磁気ディスク等の円板状のディスクメディアが用いられている。このようなディスクメディアは、記録または再生を行なう際には、ディスクドライブ装置に装填された状態でスピンドル軸によって回転されつつ、該ディスクメディアの記録面側にアクセスした記録ヘッドによって該ディスクメディアの記録層へレーザ光、またはレーザ光と磁場の両者が照射される。これにより、ディスクメディアでは、記録層の分解及び／または昇温によるピット形成や相変化、磁化反転等によって情報の記録が為され、またはレーザ光の反射率や偏光角の相違を再生ヘッドで読み取って記録された情報の再生が行なわれるようになっている。
【０００３】
このようなディスクメディアの高記録容量化に伴い、ディスクメディアの記録面側の表面（記録面を被覆するカバー層）への塵埃の付着を防止するために、ディスクメディアをケースの収容部内に収容したディスクカートリッジが知られている（例えば、特許文献１参照）。このようなディスクカートリッジでは、ケースにおけるディスクメディアの記録面側に、ディスクメディアのセンタ孔及び記録面にアクセスするためのチャッキング開口部及びヘッド開口部が設けられている。これらの開口は、インナロータによって駆動される一対のシャッタによって開閉されるようになっている。
【０００４】
また、ケースにおけるディスクメディアに対しチャッキング開口部及びヘッド開口部とは反対側に、ディスクメディアの出し入れを可能とする開口部を設けたディスクカートリッジが知られている（例えば、特許文献２参照）。このディスクカートリッジでは、上記開口部を設けると共に、インナロータを含む一対のシャッタを同一平面で動作させることにより、薄型化を図るようになっている。このディスクカートリッジのシャッタ機構について、図１２に基づいて説明する。
【０００５】
図１２に示すディスクカートリッジ１００は、ケース１０２の底板１０２Ａにディスクメディア（図示省略）のセンタ孔にアクセスするためのチャッキング開口部１０４、ドライブ装置のヘッドが記録面にアクセスするためのヘッド開口部１０６がそれぞれ設けられている。このケース１０２内におけるディスクメディアと底板１０２Ａとの間には、ディスクメディアと同軸的に回動可能な第１シャッタ１０８と、ケース１０２におけるディスクメディアの径方向外側に回動軸１１２を有する第２シャッタ１１０とが設けられている。
【０００６】
第１シャッタ１０８と第２シャッタ１１０とは、図１２（Ａ）に示す如く互いの突き当て端である当接端面１０８Ａ、１１０Ａを突き当ててヘッド開口部１０６を閉塞し、チャッキング開口部１０４については常時開放状態を維持する。そして、第１シャッタ１０８を矢印Ｇ方向に回動すると共に第２シャッタ１１０をヘッド開口部１０６に対し矢印Ｇとは略反対の矢印Ｈ方向に回動することで、図１２（Ｂ）に示される如く、ヘッド開口部１０６が開放される。
【０００７】
第１シャッタ１０８と第２シャッタ１１０との互いの当接端面１０８Ａ、１１０Ａは直線とされている。そして、このディスクカートリッジ１００では、当接端面１１０Ａが当接端面１０８Ａに対し鋭角的な相対移動の軌跡を描きつつ接離する構成であるため、第２シャッタ１１０の回動軸１１２の軸心と当接端面１１０Ａにおける閉塞方向先頭側の端部Ｚとを結ぶ直線Ｌ４（図１２（Ａ）参照）と、当接端面１１０Ａとが成す角θが鋭角であると、ヘッド開口部１０６の閉塞状態では、第１シャッタ１０８が矢印Ｇ方向へ所定量回動した後でないと、第２シャッタ１１０は動くことができない。
【０００８】
そこで、本特許文献２記載の構成では、上記角θを鈍角としている。このため、第１シャッタ１０８の当接端面１０８Ａは、図１２（Ｂ）に示すヘッド開口部１０６の開放状態で、ヘッド開口部１０６のドライブ装置への装填方向Ａに平行な右側の縁部１０６Ａよりも更に矢印Ｇ側に回動した位置となるように、該ヘッド開口部１０６の縁部１０６Ａに対し更に大きく開く方へ傾斜している。すなわち、第１シャッタ１０８の切欠きをヘッド開口部１０６に対し大きくし、第１シャッタ１０８の切欠きを大型化した分だけ第２シャッタ１１０が大型化されている。したがって、従来のディスクカートリッジ１００では、各部品の寸法誤差や組付誤差によって、第２シャッタ１１０をヘッド開口部１０６の開放状態でケース１０２内の限られた空間内に収容することができない場合、すなわち所要の大きさを有するヘッド開口部１０６を完全に開放することができない場合があった。
【０００９】
また、ディスクカートリッジ１００では、第１シャッタ１０８と第２シャッタ１１０とが互いに板厚方向に沿う当接端面１０８Ａ、１１０Ａを突き当ててヘッド開口部１０６を閉塞する構成であるため、第１シャッタ１０８または第２シャッタ１１０の寸法誤差や組付誤差によって、ヘッド開口部１０６の閉塞状態で当接端面１０８Ａ、１１０Ａ間に隙間が生じてしまうことが懸念される。この隙間は、ケース１０２内への塵埃の侵入、すなわちディスクメディアの記録面への塵埃の付着の原因となる。
【００１０】
そこで、特許文献２には、当接端面１０８Ａ、１１０Ａを互いに対応する傾斜面とすることも可能である旨が記載されている。このように構成すれば、当接端面１０８Ａ、１１０Ａ間に隙間が生じても、ケース１０２内へ塵埃が侵入し難いとされている。しかしながら、この構成によっても当接端面１０８Ａ、１１０Ａの傾斜面に沿う断面視一直線状の隙間が形成されるため、防塵対策として十分ではない。
【００１１】
一方、上記特許文献１には、インナロータとケースの底板との間に配設された一対のシャッタが、互いの端面を突き当てると共に上下に重ね合わせる構成が記載されている。しかしながら、この重ね合わせ構造を上記ディスクカートリッジ１００に適用しようとすると、第２シャッタ１１０がさらに大型化してしまい、所要の大きさを有するヘッド開口部１０６を完全に開放することが困難となる。一方、第１シャッタの当接端面１０８Ａから庇部を延設すると、ヘッド開口部１０６の開放状態で該庇部がヘッド開口部内に張り出してしまい、結局ヘッド開口部１０６を完全に開放することができない。また逆に、大型の記録再生ヘッドのアクセスを許容するためにヘッド開口部を大型化することができない。
【特許文献１】特開２００３−１１５１８４号公報
【特許文献２】特開２００３−２４２７４０号公報
【発明の開示】
【発明が解決しようとする課題】
【００１２】
本発明は、上記事実を考慮して、ヘッド開口部を確実に開閉することができ、ヘッド開口部の閉塞状態での防塵性が向上するディスクカートリッジを得ることが目的である。
【課題を解決するための手段】
【００１３】
上記目的を達成するために請求項１記載の発明に係るディスクカートリッジは、円板状に形成されたディスクメディアを回転可能に収容する収容部と、前記収容部における前記ディスクメディアの記録面側に設けられドライブ装置のヘッドが前記記録面にアクセスするためのヘッド開口部とを有するケースと、前記ケースに前記ディスクメディアと同軸的に回動可能に設けられた第１シャッタと、前記第１シャッタとは異なる軸廻りに回動可能な第２シャッタとを有し、前記第１シャッタと第２シャッタとが互いに端部を突き当てて前記ヘッド開口部を閉塞し、前記第１シャッタと第２シャッタとが前記ヘッド開口部に対し互いに反対方向に回動して該ヘッド開口部を開放するシャッタ機構と、を備え、前記第１シャッタと第２シャッタとの互いの突き当て端は、前記ヘッド開口部の閉塞状態で互いに突き当たる当接端面と、該ヘッド開口部の閉塞状態で厚み方向にオーバラップするオーバラップ部とをそれぞれ有し、かつ、前記第１シャッタ及び第２シャッタの各当接端面は、前記第１シャッタが前記ヘッド開口部を閉塞する位置に位置する状態で前記第２シャッタの回動を許容するように、長手方向の少なくとも一部が前記ヘッド開口部の閉塞状態で前記第２シャッタの回動軸心を中心とする円弧に沿う円弧形状とされている、ことを特徴としている。
【００１４】
請求項１記載のディスクカートリッジでは、ディスクメディアと同軸的な回動可能な第１シャッタと、第１シャッタとは異なる回動軸心廻りに回動可能な第２シャッタとが、互いの当接端面を突き当てるそれぞれの回動位置に位置する状態で、ヘッド開口部が閉塞される。また、第１シャッタと第２シャッタとがヘッド開口部に対し互いに反対側に回動することで、ヘッド開口部が開放される。
【００１５】
ここで、第１シャッタと第２シャッタとの互いの当接端面は、ヘッド開口部の閉塞状態で長手方向の一部が第２シャッタの回動軸心を中心とする円弧状に形成され、第１シャッタがヘッド開口部を閉塞する位置に位置する状態で第２シャッタの回動軸心廻りの回動が許容されているため、第２シャッタは、第１シャッタの回動位置に依らず、該第１シャッタに干渉することなくスムースに回動する。これにより、第１シャッタと第２シャッタとによってヘッド開口部を確実に開閉する機能を維持しつつ、第１シャッタと第２シャッタとの突き当て端を直線状に形成して上記効果を得る場合と比較して第２シャッタを小型化することができる。
【００１６】
また、ヘッド開口部の閉塞状態では、第１シャッタと第２シャッタとが互いのオーバラップ部を厚み方向（塵埃等の侵入方向）にオーバラップさせるため、仮に当接端面間に隙間が生じても、これらのオーバラップ部がケース内への塵埃の侵入を阻止する。すなわち、塵埃等の侵入経路がシャッタの厚み方向に沿う単純な直線形状ではなく、例えばクランク状等の非直線形状やシャッタ厚み方向に対し傾斜した直線形状となるため、塵埃等がディスクメディアの記録面側に侵入し難い。なお、第１及び第２シャッタの各当接端面は、厚み方向に傾斜したテーパ形状とされたオーバラップ部の互いに対応するテーパ面とすることもできるが、防塵の観点からは、少なくとも一方のシャッタの突き当て端を段付き形状とし、当接端面と相手方オーバラップ部との対向面とを異なる面とする（塵埃等の侵入経路を非直線とする）ことが望ましい。
【００１７】
そして、上記の通り第２シャッタの小型化が可能であるため、第１シャッタ及び第２シャッタがそれぞれオーバラップ部を有する重ね合わせ構造を採用しても第２シャッタの大型化が抑えられ、ヘッド開口部を確実に開放することができる。また、ヘッド開口部を従来のヘッド開口部よりも大型（幅広）化することも可能である。特に、ヘッド開口部を開放する位置に位置する第１シャッタの突き当て端（オーバラップ部の縁部）が該ヘッド開口部の縁部に略一致する構成では、突き当て端を直線としつつ該直線が全長に亘り第２シャッタの回動軸心と結ぶ直線との成す角を鈍角とする構成と比較して、第２シャッタを大幅に小型化することができる。
【００１８】
このように、請求項１記載のディスクカートリッジでは、ヘッド開口部を確実に開閉することができ、ヘッド開口部の閉塞状態での防塵性が向上する。なお、第１シャッタ及び第２シャッタのオーバラップは、第１シャッタと第２シャッタとの突き当て端のうちヘッド開口部の閉塞状態で該ヘッド開口部内に位置する部分に設けられれば足りる。また、第１シャッタは、当接端面の他に、例えば、オーバラップ部の縁部を規定する第２の端面や該第２の端面と当接端面との間に位置する第３の端面等を有する多段構造とされても良い。さらに、第２シャッタは、例えば、上記第１シャッタの第２の端面に当接する第２の当接端面を有する段付形状に形成されても良い。
【００１９】
請求項２記載の発明に係るディスクカートリッジは、請求項１記載のディスクカートリッジにおいて、前記第１シャッタと第２シャッタとは、前記ヘッド開口部の閉塞状態で互いの前記オーバラップ部を接触状態で重ね合わせる、ことを特徴としている。
【００２０】
請求項２記載のディスクカートリッジでは、ヘッド開口部の閉塞状態で、第１シャッタと第２シャッタとが互いのオーバラップ部を接触状態で重ね合わせる。このため、ケース内への塵埃の侵入が確実に防止される。特に、各オーバラップの接触面を第１及び第２シャッタの回動面に対し略平行に設定すれば、仮に当接端面間に隙間が生じても、オーバラップ部同士が接触した状態が維持されて第１シャッタと第２シャッタとの間に隙間が生じることが防止され、ケース内への塵埃の侵入が一層確実に防止される。
【００２１】
請求項３記載の発明に係るディスクカートリッジは、請求項１または請求項２記載のディスクカートリッジにおいて、それぞれ円弧状に形成されて一方が前記第１シャッタに設けられると共に他方が前記第２シャッタに設けられ、前記ヘッド開口部の閉塞状態で互いに周方向端面を当接させて環状を成し、前記ディスクメディアの軸心部に設けられたセンタ孔周りの面に当接する一対の凸部をさらに備え、前記第１シャッタのオーバラップ部は、前記第２シャッタのオーバラップ部に対し前記ディスクメディア側で、該第２シャッタのオーバラップ部と互いにオーバラップするようになっており、前記第１シャッタの凸部の周方向一端部は該第１シャッタのオーバラップ部の縁部に沿う第１合せ面とされ、前記第２シャッタの凸部の周方向一端部は、該第２シャッタのオーバラップ部と他の部分との境界部まで設けられ、前記ヘッド開口部の閉塞状態で前記第１合せ面に当接する第２合せ面とされている、ことを特徴としている。
【００２２】
請求項３記載のディスクカートリッジでは、ヘッド開口部の閉塞状態で、第１シャッタの凸部と第２シャッタの凸部とが互いの周方向端部を当接させて環状を成し、この環状の凸部がディスクメディアにおけるセンタ孔周りの面に当接する。これにより、ディスクメディアの記録面が保護される。また、第１シャッタと第２シャッタとの厚みが異なってもディスクメディアがケースに対し傾斜することが防止される。
【００２３】
ここで、第１シャッタの凸部の一端部が該第１シャッタのオーバラップ部の縁部に沿う第１合せ面とされ、第２シャッタの凸部の一端部が、該第２シャッタのオーバラップ部と他の部分との境界部に沿う第２合せ面とされ、これらの第１及び第２の合せ面が互いに当接するため、これらの凸部がシャッタ機構によるヘッド開口部の開閉を阻害することがない。
【発明の効果】
【００２４】
以上説明したように本発明に係るディスクカートリッジは、ヘッド開口部を確実に開閉することができ、かつヘッド開口部の閉塞状態での防塵性が向上するという優れた効果を有する。
【発明を実施するための最良の形態】
【００２５】
本発明の一実施形態に係るディスクカートリッジ１０について、図１乃至図１０に基づいて説明する。なお、各図に適宜示す矢印Ａは、ディスクカートリッジ１０のドライブ装置への装填方向を示しており、便宜上、ドライブ装置への装填方向である矢印Ａにて示す側を前側として説明する。また、矢印Ｂにて示す方向を上側、矢印Ｃにて示す方向を右側とする。
【００２６】
図１はディスクカートリッジ１０の外観形状を示す斜視図であり、図２はディスクカートリッジ１０の分解斜視図である。これらの図に示される如く、ディスクカートリッジ１０は、円板状に形成された情報記録再生媒体としてのディスクメディア１２を回転可能に収容するケース１４と、ケース１４の下面で開口し記録再生ヘッドがディスクメディア１２の記録面にアクセスするためのヘッド開口部１６を開閉するシャッタ機構１８と、ケース１４の上側に開口し該ケース１４に対するディスクメディア１２の出し入れを可能とするディスク開口部２０からのディスクメディア１２の脱落を防止するためのディスク保持機構２２とを主要構成要素として構成されている。なお、図１ではディスクメディア１２の図示を省略している。
【００２７】
先ず、ディスクカートリッジ１０の概略全体構成を説明し、その後、本発明の要部であるシャッタ機構１８におけるシャッタ突き当て部の詳細構成を説明することとする。
【００２８】
［ディスクカートリッジの全体構成］
（ディスクメディアの構成）
ディスクカートリッジ１０に収容されるディスクメディア１２は、上記の通り円板状に形成されている。ディスクメディア１２の軸心部には、ディスクドライブ装置の回転スピンドル軸にチャッキング（係合保持）されるセンタ孔１２Ａが設けられている。また、ディスクメディア１２の下面は、記録層がカバー層（何れも図示省略）にて被覆保護されて構成されている。記録層は、ディスクメディア１２の下面における外周近傍及びセンタ孔１２Ａ周りの所定範囲を除く部分に環状に形成され、この領域が記録領域とされている。ディスクメディア１２の下面におけるセンタ孔１２Ａの孔縁と記録領域の内縁との間の領域は、ドライブ装置の回転スピンドル軸がディスクメディア１２を保持するためのチャッキングエリアとされている。本実施形態では、ディスクメディア１２の直径（外径）は略１２０ｍｍとされている。
【００２９】
（ケースの構成）
ケース１４は、上シェル２４と下シェル２６とを接合して平面視で略矩形の扁平容器状に構成されている。具体的には、ケース１４は、平面視で前縁部が左右略対称の円弧状に形成されると共に後端が左右方向に沿う直線状に形成されており、この形状によってドライブ装置への誤装填を防止するようになっている。
【００３０】
上シェル２４は、平面視でケース１４の形状に対応した形状の天板２８と、天板２８の外縁に略沿って下方に立設された外周壁３０とを備えている。天板２８には、平面視で略円形のディスク開口部２０が設けられており、ディスク開口部２０の内径はディスクメディア１２の外径よりも大とされている。これにより、ディスク開口部２０を通してディスクメディア１２のケース１４への出し入れ（挿脱）が可能とされている。また、上シェル２４は、ディスク開口部２０の縁部に沿って下方に立設された環状の内周壁３２を備えている。
【００３１】
また、天板２８における後端側でかつ内周壁３２の径方向外側の２箇所には、後述するディスク押え部材８４取付用の切欠部３４が設けられている。さらに、天板２８における右側の切欠部３４の右側には、後述するロック部材８８を操作するための左右方向に長手のロック操作窓３６が設けられている。一方、外周壁３０におけるケース１４の右側の側壁を構成する部分の前後方向中央部には、前後方向に長手とされると共に下方に開口するコ字状の縁部を有する切欠部３０Ａが形成されている。
【００３２】
下シェル２６は、天板２８に略対応した形状の底板３８と、外周壁３０に略対応した形状の外周壁４０とを備えている。底板３８には、ディスクメディア１２のセンタ孔１２Ａに対応する略円形のチャッキング開口部４２と、上記ヘッド開口部１６とが連続して設けられている。以下の説明では、チャッキング開口部４２とヘッド開口部１６とをまとめてアクセス開口４４という場合がある。ヘッド開口部１６は、チャッキング開口部４２の径方向に長手の略矩形状に形成されており、チャッキング開口部４２の前側に連設されている。したがって、アクセス開口４４が形成する底板３８の切欠き縁は、前方に開口する略Ｕ字状に形成されている。また、ヘッド開口部１６は、外周壁４０における前部の左右方向中央部を全高に亘り切り欠いて構成されている。
【００３３】
外周壁４０は、その上端（開口端）を上シェル２４の外周壁３０の下端（開口端）に突き当ててケース１４の周壁を構成するようになっている。この外周壁４０における上シェル２４の切欠部３０Ａに対応する位置には、前後方向に長手とされると共に上方に開口するコ字状の縁部を有する切欠部４０Ａが形成されている。外周壁３０と外周壁４０とが互いに開口端を突き当てた状態では、切欠部３０Ａと切欠部４０Ａとがケース１４の右側の側面にシャッタ操作窓４６を形成するようになっている。シャッタ操作窓４６は、後述するインナロータ６０の操作突起６６露出用とされている。
【００３４】
また、下シェル２６は、チャッキング開口部４２と同軸的な円周に沿って底板３８から部分的に立設された内壁４８を備えている。内壁４８は、その内面を結ぶ仮想円の内径が上シェル２４の内周壁３２の外径よりも大とされており、上シェル２４と下シェル２６との接合状態で内周壁３２との間に隙間が形成されるようになっている。この隙間にインナロータ６０の環状壁部６２（後述）を入り込ませる構成である。そして、底板３８と内壁４８と上シェル２４の内周壁３２とが、ケース１４内においてディスクメディア１２を収容する収容部としてのディスク収容部５０を形成するようになっている。このディスク収容部５０は、上記の通りディスク開口部２０を通じてディスクメディア１２の出し入れが可能とされている。
【００３５】
さらに、底板３８における左後の角部近傍からは、支軸５２が突設されている。支軸５２の軸心は、内壁４８の外面に沿う円周の外側すなわちディスク収容部５０の外側に位置している。本実施形態では、支軸５２は、その内部が底板３８の外面に開口する基準孔５２Ａとされた円筒状に形成されている。底板３８における右後の角部近傍からは、基準孔５２Ａと対を成し左右方向に長手とされた基準孔５３Ａが設けられた突条５３が設けられている。また、底板３８の後部における内壁４８の径方向外側からは、左右一対の軸受部５４が突設されており、ディスク押え部材８４の軸支持用とされている。
【００３６】
さらにまた、底板３８の左端近傍における前後方向略中央部には、前後一対の凹部５６Ａ、５６Ｂが設けられている。凹部５６Ａ、５６Ｂは、それぞれインナロータ６０のカム突起７２（後述）の移動軌跡の始端、終端を含むように、かつ互いに離間して配置されている。さらに、底板３８の左前の角部近傍には、一対のガイドピン５８が突設されている。一対のガイドピン５８は、内壁４８と同軸的かつ内壁４８よりも大径の仮想円周上に配置されており、後述するディスク受け部材８２のガイド用とされている。
【００３７】
以上説明した下シェル２６は、外周壁４０の上端面を外周壁３０の下端面に突き当てた状態で、ビス止めによって上シェル２４に接合されてケース１４を構成している。なお、上シェル２４と下シェル２６とは、ビス止めに代えて、例えば外周壁３０、４４を超音波溶着や接着等によって接合しても良い。
【００３８】
（シャッタ機構の構成）
シャッタ機構１８は、ケース１４内に設けられている。具体的には、シャッタ機構１８は、ケース１４内に配設されたインナロータ６０を備えている。インナロータ６０は、短円筒状に形成された環状壁部６２を備えている。環状壁部６２は、上記の通り、上シェル２４の内周壁３２と下シェル２６の内壁４８との間の隙間に摺動可能に入り込んでいる。これにより、インナロータ６０は、ケース１４に対するディスク収容部５０（に収容されるディスクメディア１２）と同軸的に回動可能とされている。
【００３９】
環状壁部６２の下端内側には、平板状の第１シャッタ６４が一体的に設けられている。第１シャッタ６４は、環状壁部６２と同軸同径の円板に、アクセス開口４４と略同形状の切欠部６５Ａと、後述する第２シャッタ７４の内周ディスク受け部（円弧リブ）８０の相対移動軌跡に対応した切欠部６５Ｂとを設けた形状とされている。また、環状壁部６２には、切欠部６５Ａの径方向外端に連続し縁部の形状が下方に開口する略コ字状の切欠部６２Ａが形成されている。この切欠部６２Ａが下シェル２６の外周壁４０が切欠かれた部分と一致することで、記録再生用ヘッドがディスクカートリッジ１０の前方からアクセスすることを許容する構成とされている。
【００４０】
この第１シャッタ６４は、下シェル２６の底板３８（ディスク収容部５０）上に摺動可能に載置されており、インナロータ６０の回動に伴ってヘッド開口部１６の外周側及び内周側の一部を閉塞する閉塞位置（図７参照）と、ヘッド開口部１６上から退避する開放位置（図１０参照）とを取り得るようになっている。すなわち、開放位置に位置する第１シャッタ６４は、その切欠部６５Ａをアクセス開口４４上に略一致して位置させるようになっている。この状態では、切欠部６５Ａの縁部６５Ｃが、平面視でヘッド開口部１６の右縁１６Ａに略一致する構成とされている。
【００４１】
そして、環状壁部６２の外周面からは、ケース１４のシャッタ操作窓４６から外部に露出される操作突起６６が突設されている。操作突起６６は、第１シャッタ６４が閉塞位置に位置するときにはシャッタ操作窓４６の前端に位置し、第１シャッタ６４が開放位置に位置するときにはシャッタ操作窓４６の後端に位置するように配置されている。
【００４２】
また、第１シャッタ６４の上面からは、切欠部６５Ａにおけるチャッキング開口部４２に対応する縁部に沿って円弧状に形成された内周受け凸部６８が立設されている。この内周受け凸部６８上にディスクメディア１２の上記チャッキングエリアの下面が当接するようになっている。したがって、第１シャッタ６４は、底板３８とディスクメディア１２との間に配置されてヘッド開口部１６の一部を開閉するようになっている。
【００４３】
一方、第１シャッタ６４の上面における外周近傍からは、環状壁部６２の内面とに跨がるように外周受け凸部７０が立設されている。外周受け凸部７０は、内周受け凸部６８と略同じ高さとされており、ディスクメディア１２の下面における記録領域よりも径方向外側の領域が当接するようになっている。これにより、第１シャッタ６４は、閉塞位置に位置するときには内周受け凸部６８及び外周受け凸部７０において、ディスクメディア１２を下方から支持する構成とされている。
【００４４】
さらに、第１シャッタ６４の下面における外周近傍からは、下シェル２６側に向けてカム突起７２が突設されている。カム突起７２は、切欠部６５Ｂの径方向外側に配置されており、第２シャッタ７４のカム溝７８（後述）に常に入り込むようになっている。
【００４５】
また、シャッタ機構１８は、第１シャッタ６４が閉塞位置に位置するときにヘッド開口部１６の残余の一部（内周側の一部）を閉塞する第２シャッタ７４を備えている。第２シャッタ７４は、平板状に形成されており、底板３８と摺動するようになっている。このため、第１シャッタ６４における第２シャッタ７４の移動領域と干渉する部分、具体的には主に切欠部６５Ｂの径方向外側部分は、他の部分に対し上方に凹み（薄肉とされ）底板３８との間に第２シャッタ７４の摺動空間を形成するシャッタ逃し凹部６４Ａとされている。したがって、第２シャッタ７４は、シャッタ逃し凹部６４Ａの深さに対応した厚みとされ、第１シャッタ６４よりも薄肉とされている。
【００４６】
この第２シャッタ７４は、長板状に形成されており、長手方向の一端部に下シェル２６の支軸５２に回動自在に軸支されるボス部７６を備えている。これにより、第２シャッタ７４は、支軸５２廻りの回動によって、ヘッド開口部１６の内周側の一部を閉塞する閉塞位置（図７参照）と、ヘッド開口部１６上から退避する開放位置（図１０参照）とを取り得るようになっている。
【００４７】
図１及び図７に示される如く、第１シャッタ６４と第２シャッタ７４とは、それぞれ閉塞位置に位置する状態では、互いの当接端部９０、９２を突き当ててヘッド開口部１６を完全に閉塞する構成である。なお、この当接端部９０、９２の突き当て構造については後述する。また、図１０に示される如く、開放位置に位置する第２シャッタ７４は、当接端部９２の長手方向を前後方向（ヘッド開口部１６の長手方向）に対し交差するように、該当接端部９２をヘッド開口部の左側方に位置させるようになっている。
【００４８】
そして、第１シャッタ６４は、インナロータ６０の軸心廻りに図７に示す矢印Ｄ方向に回動することで閉塞位置から開放位置側へ移動し、第２シャッタ７４は、支軸５２廻りにヘッド開口部１６に対し矢印Ｄとは略反対向きの矢印Ｅ方向に回動することで閉塞位置から開放位置側へ移動する構成とされている。また、これらの第１シャッタ６４と第２シャッタ７４とは互いに連動するようになっている。具体的には、第２シャッタ７４には長手方向に略沿うカム溝７８が設けられており、このカム溝７８には第１シャッタ６４のカム突起７２が入り込んでいる。
【００４９】
これにより、ヘッド開口部１６の閉塞状態で、インナロータ６０の操作突起６６が後方に移動して第１シャッタ６４が矢印Ｄ方向に回動すると、矢印Ｄ方向に回動（公転）するカム突起７２がカム溝７８の溝壁を押圧することで第２シャッタ７４が矢印Ｅ方向に回動するようになっている。カム突起７２は、ヘッド開口部１６の閉塞状態ではカム溝７８における支軸５２側の端部近傍に位置しており、図８及び図９に示される如くインナロータ６０の矢印Ｄ方向への回動に伴って支軸５２から離間するよう相対移動する構成である。
【００５０】
そして、本実施形態では、図９に示す如く、第２シャッタ７４が第１シャッタ６４よりも先に開放位置に達するようになっており、その後の第２シャッタ７４の矢印Ｅ方向への回動を防止しつつ第１シャッタの矢印Ｄ方向の回動を担保するために、カム溝７８の支軸５２側と反対側の端部は、第２シャッタ７４が開放位置に位置するときにカム突起７２の移動軌跡に一致する円弧状に形成されている。これにより、第１シャッタ６４は、第２シャッタ７４と干渉することなく図９に示す回動位置から図１０に示す開放位置へ移動するようになっている。また、シャッタ機構１８では、ヘッド開口部１６の開放状態からインナロータ６０を矢印Ｄと反対方向に回動することで、図９及び図８に示す状態を経て図７に示すヘッド開口部１６の閉塞状態に復帰する構成である。
【００５１】
また、図１及び図２に示される如く、第２シャッタ７４の上面からは、ヘッド開口部１６を閉塞した状態で第１シャッタ６４の内周受け凸部６８とで環状を成す円弧状の内周受け凸部８０が突設されている。第２シャッタ７４における内周受け凸部８０の外側（径方向内側）は、切欠部７４Ｂとされている。したがって、第１シャッタ６４及び第２シャッタ７４が共に閉塞位置に位置する状態で、チャッキング開口部４２は完全に開放される構成とされている。換言すれば、チャッキング開口部４２は、常に開放されてディスク開口部２０と連通する構成である。
【００５２】
内周受け凸部８０は、ヘッド開口部１６を閉塞した状態で、その上面を内周受け凸部６８の上面と略面一とし、ディスクメディア１２の下面におけるチャッキングエリアの残余の一部に下方から接する（下側から支持する）構成である。このため、ディスクメディア１２の下面すなわち記録面側には、常に開放されるチャッキング開口部４２を経由して塵芥等が侵入することがない構成とされている。
【００５３】
そして、シャッタ機構１８では、インナロータ６０が矢印Ｄ方向に回動すると、下シェル２６の凹部５６Ａに入り込んでいたカム突起７２が該凹部５６Ａから抜け出し、第１シャッタ６４が持ち上がって第２シャッタ７４よりも上側に位置するようになっている。これにより、ヘッド開口部１６の開放動作の初期に第２シャッタ７４の内周受け凸部８０がディスクメディア１２の下面から離間し、矢印Ｅ方向に回動する第２シャッタの内周受け凸部８０がディスクメディア１２の記録面に接触してしまうことが防止される構成である。また、第１シャッタ６４に切欠部６５Ｂが設けられていることにより、第２シャッタ７４の内周受け凸部８０が第１シャッタ６４に干渉することがない構成とされている。
【００５４】
また、開放位置まで移動した第１シャッタ６４のカム突起７２は、凹部５６Ｂに入り込んで第１シャッタ６４を底板３８上に載置する状態に復帰させ、ディスクメディア１２を底板３８と略平行な状態に復帰させるうようになっている。これにより、ディスクメディア１２のドライブ装置の回転スピンドル軸による確実なチャッキングが可能となると共に、回転するディスクメディア１２が第１シャッタ６４に干渉することが防止される構成である。なお、ヘッド開口部１６の開放状態から閉塞状態への移行過程では、上記説明の逆の動作が行なわれるようになっている。
【００５５】
さらに、シャッタ機構１８は、ディスク受け部材８２を備えている。ディスク受け部材８２は、第１シャッタ６４及び第２シャッタ７４がヘッド開口部１６を閉塞した状態で、第１シャッタ６４の切欠部６５Ａの径方向外端において切欠かれた外周受け凸部７０の周方向端部間を架け渡すディスク外周受け部８２Ａを備えている。すなわち、ディスク外周受け部８２Ａは、閉塞位置に位置する第１シャッタ６４の外周受け凸部７０とで環状を成すと共に、この状態で上面が外周受け凸部７０の上面と略面一とされ、ディスクメディア１２の下面における記録面よりも径方向外側部分の残余の一部に下方から接する（下側から支持する）構成である。これにより、ディスクメディア１２の下面すなわち記録面側には、ディスク開口部２０を経由して塵芥等が侵入することがない構成とされている。
【００５６】
このディスク受け部材８２は、下シェル２６の一対のガイドピン５８によって上下動可能に支持されており、インナロータ６０が矢印Ｄ方向に回動する動作に伴って下降し、矢印Ｄ方向に回動する外周受け凸部７０と干渉しない構成とされている。詳細は省略するが、ディスク外周受け部８２Ａ及び外周受け凸部７０の対応する周方向端部が上下に重なり合うテーパ状に形成されており、インナロータ６０の矢印Ｄ方向の回動によってディスク外周受け部８２Ａを外周受け凸部７０の下側に潜り込ませる構成とされている。なお、ヘッド開口部１６の開放状態から閉塞状態への移行過程では、上記説明の逆の動作が行なわれるようになっている。
【００５７】
（ディスク保持機構の構成）
ディスク保持機構２２は、ディスク押え部材８４を備えている。ディスク押え部材８４は、下シェル２６の一対の軸受部５４にそれぞれ回動自在に軸支される一対の支軸部８４Ａと、一対の支軸部８４Ａと一体に形成された左右方向に長手のアーム部８４Ｂとを備えて構成されている。また、アーム部８４Ｂには、ディスクメディア１２の上面に当接する左右一対のディスク当接部８４Ｃが設けられている。ディスク当接部８４Ｃは、樹脂材等にて一体成形される支軸部８４Ａ及びアーム部８４Ｂに対し、別部材であるゴム等にて構成することができる。
【００５８】
ディスク押え部材８４は、支軸部８４Ａ周りの回動によって、アーム部８４Ｂをディスク収容部５０（ディスク開口部２０）内に張り出してディスク当接部８４Ｃをディスクメディア１２の上面に当接させるディスク押え位置と、アーム部８４Ｂをディスク収容部５０内に張り出しつつディスク当接部８４Ｃをディスクメディア１２の上面から離間させるディスク回転許容位置と、アーム部８４Ｂをディスク収容部５０から退出させるディスク挿脱可能位置とを選択的に取り得る構成とされている。
【００５９】
また、図２に示される如く、ディスク保持機構２２は、ディスク押え部材８４をディスク押え位置側に付勢するディスク押えばね８６と、ケース１４内に左右方向のスライドのみ可能に設けられ操作突起８８Ａをロック操作窓３６から露出させたロック部材８８とを備えている。ディスク押えばね８６は、捩りコイルばねとされており、一端部がアーム部８４Ｂに係止されると共に他端部がロック部材８８の係合突起８８Ｂに係合している。これにより、ディスク押え部材８４は、通常はディスク押えばね８６の付勢力によってディスク押え位置に位置し、ディスクメディア１２を保持する構成である。
【００６０】
このディスク押え部材８４は、第１シャッタ６４がヘッド開口部１６を開放する動作に伴ってディスク押え位置からディスク回転許容位置に移動するようになっている。具体的には、インナロータ６０の環状壁部６２には、他の部分よりも壁高が高い部分が設けられており（図示省略）、該部分がインナロータ６０の矢印Ｄ方向への回動に伴ってアーム部８４Ｂを切欠部３４内において上方に持ち上げることで、ディスク押え部材８４をディスク押え位置からディスク回転許容位置に移動させる構成である。そして、ヘッド開口部１６が開放されている状態で、ディスク押え部材８４がディスク回転許容位置に位置する状態が維持されるようなっている。これにより、ディスク押え部材８４が回転するディスクメディア１２に干渉することが防止される構成である。
【００６１】
また、ロック部材８８は、操作突起８８Ａがロック操作窓３６の左端に位置するときにはディスク押えばね８６の他端部に係合するが、操作突起８８Ａがロック操作窓３６の右端に位置するときにはディスク押えばね８６の他端部との係合が解除されるようになっている。したがって、操作突起８８Ａを操作してロック部材８８を右方に移動させることで、ディスク押え部材８４にはディスク押えばね８６の付勢力が作用しなくなる。この状態でディスク押え部材８４を人手によってディスク挿脱可能位置に移動すれば、ディスク押え部材８４から手を離してもディスク押え部材８４がディスク押え位置に復帰してしまうことがなく、ディスクメディア１２のディスク収容部５０への挿入、取り出し（離脱）、取替え等を容易に行なうことができる構成である。
【００６２】
［シャッタの突き当て部の構成］
図４及び図５に示される如く、第１シャッタ６４における第２シャッタの当接端部９２との突き当て端である当接端部９０は、段付構造とされている。そして、当接端部９０と、当接端部９２とは、第１シャッタ６４及び第２シャッタ７４が共に閉塞位置に位置するときに、端面（板厚部分）を突き当てると共に上下方向に重ね合わされるようになっている。以下、具体的に説明する。
【００６３】
第１シャッタ６４の切欠部６５Ａの縁部におけるヘッド開口部１６の右縁１６Ａに対応する縁部６５Ｃは、他の部分よりも薄肉とされたオーバラップ部としての舌部９０Ａにて規定されている。この舌部９０Ａが、図１０に示される如く、第１シャッタ６４が開放位置に位置するときに、平面視でヘッド開口部１６の右縁１６Ａと略一致する縁部６５Ｃを規定している。舌部９０Ａは、縁部６５Ｃに沿って長手の略細長矩形形状に形成され、その厚みが第１シャッタ６４のシャッタ逃し凹部６４Ａ形成部位の厚みと同等とされている。すなわち、舌部９０Ａの下側には第２シャッタ７４が入り込める構成とされている。
【００６４】
舌部９０Ａにおける切欠部６５Ａの縁部６５Ｃと反対側の長手方向に沿う縁部は、段状に形成された当接端面９０Ｂにて規定されている。すなわち、当接端面９０Ｂは、第１シャッタ６４における底板３８との摺動面と舌部９０Ａとの境界を規定しており、また高さがシャッタ逃し凹部６４Ａの深さに対応している。当接端面９０Ｂは、基本的に平面視で切欠部６５Ａの縁部６５Ｃと略平行な直線とされているが、内周受け凸部６８側の端部近傍が円弧状に形成されている。この形状については後述する。また、舌部９０Ａ及び当接端面９０Ｂの長手方向における内周受け凸部６８側の端部は、段部９０Ｃにて規定されている。段部９０Ｃは、内周受け凸部６８の縁部６５Ｃ側端部近傍の下側に位置し、当接端面９０Ｂとの略直角となる角部を形成するように設けられている。
【００６５】
図５に示される如く、第２シャッタ７４は、ボス部７６、内周受け凸部８０、及びカム溝７８を除き、シャッタ逃し凹部６４Ａの深さ、すなわち当接端面９０Ｂの高さに対応した一定の板厚を有する平板状に形成されている。そして、第２シャッタ７４は、図６（Ａ）に示される如く、第１シャッタ６４と共にヘッド開口部１６を閉塞する状態では、当接端部９２を第１シャッタ６４の舌部９０Ａの下側に入り込ませ、当接端部９２の上面９２Ａを舌部９０Ａの下面に接触させるようになっている。
【００６６】
すなわち、第１シャッタ６４の舌部９０Ａと第２シャッタ７４の当接端部とは、ヘッド開口部１６の閉塞状態で厚み方向にオーバラップするようになっており、特に本実施形態では接触状態で重ね合わされるようになっている。したがって、当接端部９２が本発明における「第２シャッタのオーバラップ部」に相当する。
【００６７】
また、この状態では、当接端部９２の先端面である当接端面（板厚部分）９２Ｂが全長に亘り当接端面９０Ｂに突き当てられると共に、当接端面９０Ｂとで角部を成す端面９２Ｃが全長に亘り段部９０Ｃに突き当てられるようになっている。すなわち、第１シャッタ６４と第２シャッタ７４とは、ヘッド開口部１６から露出する下面側では、当接端部９０の当接端面９０Ｂと当接端部９２の当接端面９２Ｂとがほぼ隙間なく突き当てられ、外部からは舌部９０Ａの下面が見えない構成とされている。この状態では、当接端部９２の上面に接触する舌部９０Ａが、該当接端部９２を上側すなわちケース１４の内方（矢印Ｂとは反対方向）から被覆する構成である。
【００６８】
図３及び図７に示される如く、第２シャッタ７４の当接端部９２は、閉塞位置に位置するときに、矢印Ｅ側の端部がヘッド開口部１６の左縁１６Ｂよりも僅かに左方に位置するように形状（寸法）が決められている。したがって、舌部９０Ａ及び当接端面９０Ｂにおける当接端面９２Ｂと接触する部分（ヘッド開口部１６の閉塞状態で主にヘッド開口部１６内に位置する部分）が当接端部９０となるが、第１シャッタ６４は、図３に示す矢印Ｅまたは矢印Ｅとは反対向きの矢印Ｆ方向に回動する第２シャッタ７４の動作を阻害しないように、切欠部６５Ａの縁部６５Ｃの略全長に亘り舌部９０Ａ（すなわち当接端面９０Ｂ）を形成している。これにより、舌部９０Ａは、当接端面９２Ｂを全長に亘り、すなわち当接端面９２Ｂ、９０Ｂの当接部位におけるヘッド開口部１６から露出する部分を全長に亘りケース１４の内方側（矢印Ｂとは反対方向）から被覆する構成である。
【００６９】
そして、当接端部９２の当接端面９２Ｂは、閉塞位置側への回動方向を示す矢印Ｆ側の所定範囲が平面視で円弧状に形成され、残余の部分が直線状に形成されている。具体的には、当接端面９２Ｂは、全長に亘り図３に示す仮想直線Ｌ１に一致すると仮定した場合に、第２シャッタ７４の回動軸心である支軸５２の軸心を通る仮想直線Ｌ１の法線Ｌ２よりも矢印Ｆ側の部分が、支軸５２の軸心を中心とする円弧形状に形成された円弧部９２Ｄとされている。また、法線Ｌ２よりも矢印Ｅ側部分がストレート部９２Ｅとされている。すなわち、当接端面９２Ｂ（ストレート部９２Ｅまたは円弧部９２Ｄの接線）は、平面視で該当接端面９２Ｂ上の任意の点と支軸５２の軸心とを結ぶ直線との成す角が９０°以上になるように形成されている。そして、第１シャッタ６４の当接端面９０Ｂは、当接端面９２Ｂに隙間なく突き当たるように、当接端面９２Ｂの円弧部９０Ｄに突き当たる円弧部９０Ｄと、ストレート部９２Ｅに突き当たるストレート部９０Ｅとを有する形状に形成されている。
【００７０】
このため、第２シャッタ７４は、第１シャッタ６４の作動タイミングに依らず矢印Ｅ方向または矢印Ｆ方向に回動することができる構成とされている。すなわち、当接端面９２Ｂ上の任意の点と支軸５２の軸心とを結ぶ直線と、当接端面９２Ｂとが成す角が鋭角となる部分があると、閉塞位置に位置する第２シャッタ７４は、第１シャッタ６４が矢印Ｄ方向に移動するまで矢印Ｅ方向に回動することができず、第１シャッタ６４が閉塞位置に位置する状態では矢印Ｆ方向に回動して開放位置から閉塞位置に復帰することができないが、上記円弧部９０Ｄ、９２Ｄを形成することにより、第１シャッタ６４が閉塞位置に位置する状態でも、矢印Ｅ方向に回動して開放位置側へ移動したり、矢印Ｆ方向に回動して閉塞位置に復帰したりすることが可能とされている。
【００７１】
これにより、シャッタ機構１８では、第１シャッタ６４と第２シャッタ７４とが互いに干渉することなくスムースかつ確実に動作し、かつ第１シャッタ６４の当接端部９０と第２シャッタ７４の当接端部９２とを当接させてヘッド開口部１６を確実に閉塞することができる構成とされている。また、ヘッド開口部１６の閉塞状態では、端面９２Ｃと段部９０Ｃとの突き当てによって、第２シャッタ７４が閉塞位置を超えて矢印Ｆ方向に回動することが防止されるようになっている。なお、当接端部９２の当接端面９２Ｂ及び当接端部９０の当接端面９０Ｂは、全長に亘り円弧部９２Ｄ、９０Ｄとしても良い。この場合、舌部９０Ａは、縁部６５Ｃの長手方向の一部にのみ設けられることとなる。
【００７２】
また、図５に示される如く、第２シャッタ７４は、当接端部９２が舌部９０Ａの下側に入り込むことにより、該当接端部９２の上面９２Ａでは、内周受け凸部８０が存在しないように切り欠かれて構成されている。内周受け凸部８０の当接端部９０側の周方向端部は、ヘッド開口部１６の閉塞状態で舌部９０Ａが規定する縁部６５Ｃに沿う平坦面である第２合せ面８０Ａとされている。
【００７３】
一方、第１シャッタ６４では、内周受け凸部６８の一端部が、舌部９０Ａ上に位置するように延設されている。内周受け凸部６８の一端部は、舌部９０Ａが規定する縁部６５Ｃに沿う平坦面である第１合せ面６８Ａとされている。したがって、第１合せ面６８Ａは、ヘッド開口部１６の閉塞状態で、図６（Ｂ）に示される如く、内周受け凸部８０の第２合せ面８０Ａに突き当たるようになっている。すなわち、内周受け凸部６８における舌部９０Ａ上に位置する部分は、仮に舌部９０Ａを設けない構成（当接端面９０Ｂが切欠部６５Ａの縁部６５Ｃを規定する構成）とした場合には、第２シャッタ７４の上面に設けられるべき部分とされている。
【００７４】
これにより、ヘッド開口部１６の閉塞状態で第１シャッタ６４の当接端部９０と第２シャッタ７４の当接端部９２とが上下に重ね合わされる構成においても、該ヘッド開口部１６の閉塞状態で内周受け凸部６８、８０が隙間なく環状を成し、ディスクメディア１２の記録面側への塵埃等の侵入が防止される機能が維持されるようになっている。
【００７５】
次に、本実施形態の作用を説明する。
【００７６】
上記構成のディスクカートリッジ１０では、保管時や運搬時等の不使用時には第１シャッタ６４、第２シャッタ７４がそれぞれ閉塞位置に位置してヘッド開口部１６を閉塞している。また、内周受け凸部６８、８０が環状を成してディスクメディア１２のチャッキングエリアに当接することで該ディスクメディア１２の内周側から記録面側への塵芥等の侵入を防止すると共に、外周受け凸部７０とディスク受け部材８２のディスク外周受け部８２Ａとが環状を成してディスクメディア１２の記録面よりも径方向外側部分に当接することで該ディスクメディア１２の外周側から記録面側への塵芥等の侵入を防止している。さらに、ディスク押え部材８４がディスク押えばね８６の付勢力によってディスクメディア１２を下方に押し付け、該ディスクメディア１２のガタつきを防止している。
【００７７】
このディスクカートリッジ１０を使用する際、すなわちディスクメディア１２に情報を記録する際またはディスクメディア１２に記録された情報を再生する際には、ディスクカートリッジ１０を矢印Ａ方向に沿ってドライブ装置に装填する。この装填動作（ディスクカートリッジ１０とドライブ装置との相対移動）に伴って、ドライブ装置の開閉部材がインナロータ６０の操作突起６６に係合して該操作突起６６を後方に移動する。
【００７８】
すると、インナロータ６０すなわち第１シャッタ６４が矢印Ｄ方向に回動し、これに連動して第２シャッタ７４が矢印Ｅ方向に回動する。そして、図８及び図９に示す状態を経て、操作突起６６がシャッタ操作窓４６の後端まで移動すると、図１０に示される如くヘッド開口部１６が完全に開放された状態になる。
【００７９】
次いで、ドライブ装置内では、基準孔５２Ａ、５３Ａに位置決めピンが挿入される等してディスクカートリッジ１０が位置決めされる。この位置決め状態でチャッキング開口部４２からはドライブ装置の回転スピンドル軸が進入し、該回転スピンドル軸がディスクメディア１２のセンタ孔１２Ａ（及びチャッキングエリア）をチャッキングして該ディスクメディア１２を保持しつつ第１シャッタ６４の上面から離間させる。そして、回転スピンドル軸が回転すると、ディスクメディア１２がケース１４内で非接触で回転駆動される。一方、ヘッド開口部１６からはドライブ装置の記録再生ヘッドが進入する。この記録再生ヘッドによって、ディスクメディア１２の記録層に情報が記録され、または記録層に記録された情報が再生される（ディスクメディア１２が使用される）。
【００８０】
ディスクメディア１２の使用後には、ディスクカートリッジ１０がドライブ装置から排出される。この排出動作に伴って、ドライブ装置の開閉部材がインナロータ６０の操作突起６６に係合して該操作突起６６を前方に移動する。すると、インナロータ６０すなわち第１シャッタ６４が矢印Ｄとは反対方向に回動し、これに連動して第２シャッタ７４が矢印Ｆ方向に回動する。そして、図９及び図８に示す状態を経て、操作突起６６がシャッタ操作窓４６の前端まで移動すると、図７に示される如くヘッド開口部１６が完全に閉塞された状態に復帰する。
【００８１】
ここで、第１シャッタ６４の当接端部９０と第２シャッタ７４の当接端部９２とには、それぞれ円弧部９０Ｄ、９２Ｄが形成されているため、第２シャッタ７４は、第１シャッタ６４の閉塞位置と開放位置との間の回動位置に依らず、該第１シャッタ６４に干渉することなく矢印Ｅまたは矢印Ｆ方向に回動することができる。これにより、図８に示す如く第１シャッタ６４（インナロータ６０）の矢印Ｄ方向への僅かな回動で第２シャッタ７４が矢印Ｅ方向に比較的大きく回動する構成としても、第１シャッタ６４と第２シャッタ７４とは、互いに干渉することなくスムースに動作してヘッド開口部１６を開閉することができる。また、第１シャッタの動作タイミングとは独立して第２シャッタの動作タイミングを設定することが可能となり、設計の自由度が向上する。
【００８２】
また、第１シャッタ６４の当接端部９０と第２シャッタ７４の当接端部９２とには、それぞれ円弧部９０Ｄ、９２Ｄが形成されているため、第２シャッタ７４を小型化することが実現されている。ここで、図３に示す仮想直線Ｌ３は、従来の閉塞状態にある当接端面１０８Ａ、１１０Ａに相当する。したがって、この仮想直線Ｌ３上の任意の点と第２シャッタの回動軸心とを結ぶ直線との成す角は仮想直線Ｌ３の全長に亘り鈍角となる。この図からわかるように従来は、第２シャッタを第１シャッタに干渉させないために、第１シャッタによるヘッド開口部１６の閉塞範囲を狭め、その分を第２シャッタで閉塞するようにしていた。このため、当接端面が仮想直線Ｌ３に一致する従来の第２シャッタは、その長さが長くなるのみならず、ヘッド開口部１６の開放状態におけるケース１４への収容性上重要な幅が大きくなってしまう。また、仮想直線Ｌ３と平行でかつ仮想直線Ｌ３よりも支軸５２側に位置する仮想直線（図示省略）を当接端面とする第１シャッタでは、ヘッド開口部１６を完全に開放することはできない。
【００８３】
一方、本実施形態では、当接端部９０、９２にそれぞれ円弧部９０Ｄ、９２Ｄを設けることで、第２シャッタ７４は、仮想直線Ｌ１と平行な第１シャッタ６４の縁部６５Ｃに対し僅かに凸となるだけで大型化、特に幅方向の大型化が防止されている。したがって、第２シャッタ７４は、図６に示すヘッド開口部１６の開放状態で、ケース１４内における限られた空間であるヘッド開口部１６の左側の領域に、加工誤差や組付誤差等を吸収する十分な余裕を持って配置される。また、ヘッド開口部１６の左右方向の幅を広げて大型の記録性ヘッドのアクセスを可能とすることもできる。
【００８４】
そして、第２シャッタ７４では、この縁部６５Ｃに対し凸となる当接端部９２を、ヘッド開口部１６の閉塞状態で第１シャッタ６４の舌部９０Ａと上下に重ね合わせるように構成しているため、第２シャッタ７４の大型化を防止してヘッド開口部１６を確実に開放する機能を維持つつ、ヘッド開口部の閉塞状態ではケース１４内への塵埃等の侵入を阻止する機能を実現している。
【００８５】
具体的には、ヘッド開口部１６の閉塞状態では、舌部９０Ａと当接端部９２とが互いにオーバラップするため、換言すれば、舌部９０Ａが当接端面９０Ｂ、９２Ｂの当接部位を全長に亘り被覆するため、仮に当接端面９０Ｂ、９２Ｂ間に隙間が生じても舌部９０Ａがケース１４内への塵埃の侵入を阻止する。すなわち、舌部９０Ａと当接端部９２とが印篭構造または隙間の迷路構造を形成し、塵埃の侵入が防止される。特に、舌部９０Ａが当接端部９２の上面９２Ａに接触する構成であるため、ケース１４内への塵埃の侵入が確実に阻止される。また特に、舌部９０Ａと当接端部９２の上面９２Ａとの接触面が第１シャッタ６４、第２シャッタ７４の回動面（回動軸線との直交面）と略平行であるため、仮に当接端面９０Ｂ、９２Ｂ間に隙間（舌部９０Ａと当接端部９２とのラップ代の範囲内の隙間）が生じても、舌部９０Ａと当接端部９２との間に隙間が生じることがなく、ケース１４内への塵埃の侵入が一層確実に阻止される。
【００８６】
また、ヘッド開口部１６の閉塞状態で当接端面９０Ｂ、９２Ｂの当接部位を被覆する舌部９０Ａがケース１４の内方側（ディスクメディア１２側）に位置するため、換言すれば、舌部９０Ａがケース１４の外方には露出しないため、該舌部９０Ａがディスクカートリッジ１０の不使用時の美観を損なうことがなく、ユーザによる舌部９０Ａの誤操作等も防止される。
【００８７】
さらに、ディスクカートリッジ１０では、第２シャッタ７４の当接端部９２の上面９２Ａに内周受け凸部８０が位置しないようにすると共に、第１シャッタ６４の舌部９０Ａ上に内周受け凸部６８を延設し、内周受け凸部６８、８０の各第１合せ面６８Ａ、８０Ａがヘッド開口部１６の閉塞状態で互いに突き当たるように構成したため、内周受け凸部６８、８０がヘッド開口部１６の開閉動作に干渉することがない。また、内周受け凸部６８、８０がヘッド開口部１６の閉塞状態で隙間なく当接するため、チャッキング開口部４２が閉塞されない構成において、第１シャッタ６４と第２シャッタ７４とを重ね合わせる構成を採用しても、ディスクメディア１２の記録面側への塵埃の侵入を防止する機能が維持される。
【００８８】
このように、本実施形態に係るディスクカートリッジ１０では、ヘッド開口部１６を確実に開閉することができ、かつヘッド開口部１６の閉塞状態での防塵性が向上する。
【００８９】
なお、本発明は、上記実施形態における当接端部９０、９２の付き当て構造に限定されることはなく、例えば、図１１に示される如き各種変形が可能である。
【００９０】
すなわち、図１１（Ａ）に示される舌部９０Ａが当接端部９２の上面９２Ａに接触しない構成としても良く、図１１（Ｂ）に示される如く舌部９０Ａと上面９２Ａとを互いを誘い込むテーパ形状としても良い。また、テーパ形状は、図１１（Ｃ）に示される如く、舌部９０Ａのみに設けても良い。さらに、図１１（Ｄ）に示される如く、第２シャッタ７４を、第１シャッタ６４の縁部６５Ｃ（舌部９０Ａの端面）に当接する当接端面９４を有するを段付構造としても良い。また、第２シャッタ７４が当接端面９４を有する構成では、図１１（Ｅ）に示される如く舌部９０Ａをケース外方側に配置して当接端部９２の下面９２Ａと接触するも良く、図１１（Ｆ）に示される如く舌部９０Ａが当接端部９２の上面９２Ａに接触しない構成としても良い。なお、当接端面９４は、当接端面９２Ｂと同様に、その長手方向における円弧部９２Ｄに対応する部分を円弧状に形成されている（図示省略）。
【００９１】
また、図示は省略するが、第１シャッタ６４の当接端部９０を３段以上の複数段を有する段付構造としても良い。この場合、最もケース１４外方側（下側）の端面を当接端面９２Ｂとの突き当て端とすることが望ましい。同様に、第２シャッタ７４の当接端部９２を３段以上の複数段を有する段付構造としても良い。第１シャッタ６４及び第２シャッタ７４が共に段付構造である場合には、それぞれの最もケース１４外方側（下側）に位置する端面同士を突き当てることが望ましい。さらに、当接端面９０Ｂ、９２Ｂを互いに対応するテーパ状に形成しても良い。
【００９２】
また、上記の実施形態では、第１シャッタ６４がヘッド開口部１６に対応する切欠部６５Ａを有する構成としたが、本発明はこれに限定されず、第１シャッタ６４は閉塞位置に位置するときにヘッド開口部１６の所要の一部を閉塞することができる形状（例えば、図７においてヘッド開口部１６の左右の縁部と第１シャッタ６４の外周と当接端部９０等とで囲まれる略台形状）であれば良い。したがって、本発明は、第２シャッタ７４が第１シャッタ６４の下側（薄肉部の下側）に配置される構成、すなわち第１シャッタ６４と第２シャッタ７４との板厚が異なる構成には限定ず、これらを同じ板厚として上記図１１（Ｄ）乃至図１１（Ｆ）の構成を実現することができる。
【００９３】
さらに、上記の実施形態では、ケース１４にディスク開口部２０が設けられている構成を例示したが、本発明はこれに限定されず、例えば、天板２８が開口部を備えない構成としても良く、ディスク開口部２０に代えて天板２８にもヘッド開口部１６またはアクセス開口４４を設けた構成として良い。後者の場合、天板２８とディスクメディア１２との間にシャッタ機構１８または別のシャッタ機構を設けることができる。
【００９４】
さらにまた、上記の実施形態では、ディスクメディア１２の直径が略１２０ｍｍである構成としたが、本発明はこれに限定されず、如何なる寸法のディスクメディア１２を備えるディスクカートリッジ１０についても本発明が適用可能であることは言うまでもない。また、例えば、ディスクメディア１２は、片面記録タイプのみならず両面記録タイプであっても良く、ユーザによる情報の記録を不能とした再生専用のディスクメディアであっても良いことは言うまでもない。したがって、上記したドライブ装置の記録再生ヘッドは、記録機能のみ、または再生機能のみを有するものであっても良い。
【図面の簡単な説明】
【００９５】
【図１】本発明の一実施形態に係るディスクカートリッジの外観を示す斜視図である。
【図２】本発明の一実施形態に係るディスクカートリッジの分解斜視図である。
【図３】本発明の一実施形態に係るディスクカートリッジを構成するシャッタ機構によるヘッド開口部の閉塞状態を示す模式的な底面図である。
【図４】本発明の一実施形態に係るディスクカートリッジを構成する第１シャッタの斜視面図である。
【図５】本発明の一実施形態に係るディスクカートリッジを構成する第１シャッタの一部及び第２シャッタを示す斜視面図である。
【図６】（Ａ）は図３の６Ａ−６Ａに沿う断面図、（Ｂ）は図３の６Ｂ−６Ｂに沿う断面図である。
【図７】本発明の一実施形態に係るディスクカートリッジを構成するシャッタ機構によるヘッド開口部の閉塞状態を示す模式的な平面図である。
【図８】本発明の一実施形態に係るディスクカートリッジを構成するシャッタ機構のヘッド開口部の閉塞または開放過程を示す模式的な平面図である。
【図９】本発明の一実施形態に係るディスクカートリッジを構成するシャッタ機構のヘッド開口部の閉塞または開放過程の図８とは異なる状態を示す模式的な平面図である。
【図１０】本発明の一実施形態に係るディスクカートリッジを構成するシャッタ機構によるヘッド開口部の開放状態を示す模式的な平面図である。
【図１１】（Ａ）〜（Ｆ）は、それぞれ本発明の一実施形態に係るディスクカートリッジを構成する第１シャッタと第２シャッタとの突き当て構造の変形例を示す図６（Ａ）に対応する断面図である。
【図１２】従来のディスクカートリッジを示す図であって、（Ａ）はシャッタ機構によるヘッド開口部の閉塞状態を示す平面図、（Ｂ）はシャッタ機構によるヘッド開口部の開放状態を示す平面図である。
【符号の説明】
【００９６】
１０    ディスクカートリッジ
１２    ディスクメディア
１４    ケース
１６    ヘッド開口部
１８    シャッタ機構
５０    ディスク収容部（収容部）
５２    支軸（第２シャッタの回動軸）
６４    第１シャッタ
６８    内周受け凸部（凸部）
６８Ａ  第１合せ面
７４    第２シャッタ
８０    内周受け凸部（凸部）
８０Ａ  第２合せ面
９０Ａ  舌部（オーバラップ部）
９０Ｂ  当接端面
９２    当接端部（オーバラップ部）
９２Ｂ  当接端面
【図１】
2005259316.tif 000003
【図２】
2005259316.tif 000004
【図３】
2005259316.tif 000005
【図４】
2005259316.tif 000006
【図５】
2005259316.tif 000007
【図６】
2005259316.tif 000008
【図７】
2005259316.tif 000009
【図８】
2005259316.tif 000010
【図９】
2005259316.tif 000011
【図１０】
2005259316.tif 000012
【図１１】
2005259316.tif 000013
【図１２】
2005259316.tif 000014